(57)【要約】【課題】透明性面材例えばガラス板の取付位置に自由度をもたせることができると共に、ブラケットやねじ部材の外部への露出を少なくして、美観の向上を図れるようにした高欄を提供すること。【解決手段】適宜間隔をおいて立設される複数の支柱１０と、支柱１０の上端に架設されるトップレール３と、支柱１０の下部に固定されるブラケット４を介して架設される下枠２０と、下枠２０によって下端部が保持される透光性を有するガラス板５とを具備する高欄において、下枠２０は、ガラス板５の下端部が挿入可能な開口２１と、この開口２１に連通する空間２２を有する形材にて形成され、空間２２に、ガラス板５と開口２１との隙間を塞ぐシール部材４１，４２の配置部２３とガラス板５の下端を載置するスペーサ５０の配置部２４を設けると共に、ブラケット４を固定する固定部材である固定ボルト６０の固定部を配設する。【選択図】  図２
2011157742.tif 000002
【特許請求の範囲】
【請求項１】
適宜間隔をおいて立設される複数の支柱と、上記支柱の上端に架設されるトップレールと、上記支柱の下部に固定されるブラケットを介して架設される下枠と、上記下枠によって下端部が保持される透光性を有する面材とを具備する高欄であって、
上記下枠は、上記面材の下端部が挿入可能な開口と、この開口に連通する空間を有する形材にて形成され、上記空間に、上記面材と上記開口との隙間を塞ぐシール部材の配置部と上記面材の下端を載置するスペーサの配置部を設けると共に、上記ブラケットを固定する固定部材の固定部を配設してなる、ことを特徴とする高欄。
【請求項２】
請求項１記載の高欄において、
上記シール部材の配置部と上記スペーサの配置部が、上記シール部材の下端を載置する載置面と、上記スペーサの上端両側面に当接する当接面を有する一対の突出片にて形成されていることを特徴とする高欄。
【請求項３】
請求項１記載の高欄において、
上記支柱を平行な側壁を有する中空状形材にて形成し、少なくとも上記側壁における上記ブラケットの固定部の肉厚を空間側に厚く形成してなることを特徴とする高欄。
【請求項４】
請求項１記載の高欄において、
上記支柱を平行な側壁と両側壁と直交する外壁を有する中空状形材にて形成し、上記両側壁における上記外壁側の肉厚を空間側に厚くして係止段部を形成し、上記ブラケットの固定部を構成するチャンネル状固定受け部材を上記外壁と係止段部に係合してなることを特徴とする高欄。
【請求項５】
請求項１ないし３のいずれかに記載の高欄において、
上記面材の上端部が挿入可能な開口を有する形材にて形成され、上記面材と開口との間を塞ぐシール部材を介して面材の上端部を保持する上枠を更に具備し、上記上枠を上記トップレールの下部に設けられた凹溝内に挿入・固定してなることを特徴とする高欄。
【請求項６】
請求項１、２又は４記載の高欄において、
上記支柱に固定されるブラケットを介して架設される上枠を更に具備し、上記上枠は、上記面材の上端部が挿入可能な開口を有する形材にて形成され、上記面材と開口との間を塞ぐシール部材を介して面材の上端部を保持し、上記支柱を平行な側壁と両側壁と直交する外壁を有する中空状形材にて形成し、上記両側壁における上記外壁側の肉厚を空間側に厚くして係止段部を形成し、上記下枠及び上枠をそれぞれ固定するブラケットの固定部を構成するチャンネル状固定受け部材を上記外壁と係止段部に係合してなることを特徴とする高欄。
【発明の詳細な説明】
【技術分野】
【０００１】
この発明は、例えばペデストリアンデッキ（人工地盤）あるいは橋梁等に設置される高欄に関するものである。
【背景技術】
【０００２】
従来、例えばペデストリアンデッキ（人工地盤）あるいは橋梁等において、歩行者の落下を防ぐために高欄が設置されている。
【０００３】
この種の高欄には、適宜間隔をおいて立設される複数の支柱と、これら支柱の上端に架設されるトップレール（笠木）と、上記支柱間に枠材等を介して支持される透光性を有する面材例えばガラス板とを具備する構造のものが知られている。
【０００４】
従来の高欄の構造としては、支柱の上下位置に適宜間隔をおいて２個のＴ字形のガラスクリップを上下移動可能に支柱の外周面に嵌合してビス止めすると共に、これらガラスグリップの間に、ガラスグリップにビス止めされる胴縁を介してガラス板を支持する構造のものが知られている（例えば、特許文献１参照）。
【０００５】
また、別の高欄の構造としては、ガラス板が、上下スペーサを介してパラペットと笠木に接続されて保持される構造のものが知られている（例えば、特許文献２参照）。
【先行技術文献】
【特許文献】
【０００６】
【特許文献１】実開平３−４８０３１号公報（第１図，第２図）
【特許文献２】特開平７−１７３８６９号公報（特許請求の範囲、図２，図３）
【発明の概要】
【発明が解決しようとする課題】
【０００７】
しかしながら、特許文献１に記載のものにおいては、支柱の外周面側の上下部にビス止めされる２個のガラスグリップにビス止めされる胴縁を介してガラスを支持する構造であるため、外部にガラスグリップやビスが露出して美観が損なわれる懸念があった。
【０００８】
また、特許文献２に記載のものにおいては、ガラス板の上、下端部を笠木とパラペットに接続する構造であるため、ブラケットやビス等の取付部材の外部への露出を少なくすることができるが、ガラス板の取付位置が限られ、自由度が少ないという懸念がある。また、パラペットのないペデストリアンデッキ（人工地盤）あるいは橋梁等においては、ガラス板の下端部を保持する枠材等が必要となり、枠材を支柱に固定する部材（ブラケット、ねじ部材）が必要となる。
【０００９】
この発明は、上記事情に鑑みてなされたもので、透明性面材例えばガラス板の取付位置に自由度をもたせることができると共に、ブラケットやねじ部材の外部への露出を少なくして、美観の向上を図れるようにした高欄を提供する。
【課題を解決するための手段】
【００１０】
上記課題を解決するために、請求項１記載の発明は、適宜間隔をおいて立設される複数の支柱と、上記支柱の上端に架設されるトップレールと、上記支柱の下部に固定されるブラケットを介して架設される下枠と、上記下枠によって下端部が保持される透光性を有する面材とを具備する高欄であって、上記下枠は、上記面材の下端部が挿入可能な開口と、この開口に連通する空間を有する形材にて形成され、上記空間に、上記面材と上記開口との隙間を塞ぐシール部材の配置部と上記面材の下端を載置するスペーサの配置部を設けると共に、上記ブラケットを固定する固定部材の固定部を配設してなる、ことを特徴とする。
【００１１】
このように構成することにより、面材の下端部を保持する下枠に設けた空間内に、面材との隙間を塞ぐシール部材と面材の下端を載置するスペーサを配置すると共に、下枠を支柱に固定するブラケットの固定部を配設することができる。
【００１２】
請求項２記載の発明は、請求項１記載の発明において、上記シール部材の配置部と上記スペーサの配置部が、上記シール部材の下端を載置する載置面と、上記スペーサの上端両側面に当接する当接面を有する一対の突出片にて形成されていることを特徴とする。
【００１３】
このように構成することにより、下枠に設けられた一対の突出片によってシール部材とスペーサの位置決めを容易にすることができる。
【００１４】
また、請求項３記載の発明は、請求項１記載の発明において、上記支柱を平行な側壁を有する中空状形材にて形成し、少なくとも上記側壁における上記ブラケットの固定部の肉厚を空間側に厚く形成してなることを特徴とする。
【００１５】
このように構成することにより、下枠を保持するブラケットの支柱の固定部に強度を持たせることができる。
【００１６】
また、請求項４記載の発明は、請求項１記載の発明において、上記支柱を平行な側壁と両側壁と直交する外壁を有する中空状形材にて形成し、上記両側壁における上記外壁側の肉厚を空間側に厚くして係止段部を形成し、上記ブラケットの固定部を構成するチャンネル状固定受け部材を上記外壁と係止段部に係合してなることを特徴とする。
【００１７】
このように構成することにより、支柱の外壁側に面材を取り付ける場合の下枠の支柱への固定を強固にすることができる。
【００１８】
また、請求項５記載の発明は、請求項１ないし３のいずれかに記載の発明において、上記面材の上端部が挿入可能な開口を有する形材にて形成され、上記面材と開口との間を塞ぐシール部材を介して面材の上端部を保持する上枠を更に具備し、上記上枠を上記トップレールの下部に設けられた凹溝内に挿入・固定してなることを特徴とする。
【００１９】
このように構成することにより、隣接する支柱の対向する側壁間に面材を取り付けることができると共に、面材の上端部を保持する上枠をトップレール内に配設することができる。
【００２０】
請求項６記載の発明は、請求項１、２又は４記載の発明において、上記支柱に固定されるブラケットを介して架設される上枠を更に具備し、上記上枠は、上記面材の上端部が挿入可能な開口を有する形材にて形成され、上記面材と開口との間を塞ぐシール部材を介して面材の上端部を保持し、上記支柱を平行な側壁と両側壁と直交する外壁を有する中空状形材にて形成し、上記両側壁における上記外壁側の肉厚を空間側に厚くして係止段部を形成し、上記下枠及び上枠をそれぞれ固定するブラケットの固定部を構成するチャンネル状固定受け部材を上記外壁と係止段部に係合してなることを特徴とする。
【００２１】
このように構成することにより、支柱の外壁側に面材を取り付ける場合の面材の下端部及び上端部を保持する下枠及び上枠の支柱への固定を強固にすることができる。
【発明の効果】
【００２２】
この発明によれば、上記のように構成されているので、以下のような顕著な効果が得られる。
【００２３】
（１）請求項１記載の発明によれば、面材の下端部を保持する下枠に設けた空間内に、面材との隙間を塞ぐシール部材と面材の下端を載置するスペーサを配置すると共に、下枠を支柱に固定するブラケットの固定部を配設することができるので、透明性面材例えばガラス板の取付位置に自由度をもたせることができると共に、ブラケットやねじ部材の外部への露出を少なくして、美観の向上を図ることができる。
【００２４】
（２）請求項２記載の発明によれば、下枠に設けられた一対の突出片によってシール部材とスペーサの位置決めを容易にすることができるので、更に面材の取付を容易にすることができると共に、施工を容易にすることができる。
【００２５】
（３）請求項３記載の発明によれば、下枠を保持するブラケットの支柱の固定部に強度を持たせることができるので、更に面材の固定を強固にすることがでる。
【００２６】
（４）請求項４，６記載の発明によれば、支柱の外壁側に面材を取り付けることができると共に、下枠又は、下枠及び上枠の支柱への固定を強固にすることができる。
【００２７】
（５）請求項５記載の発明によれば、隣接する支柱の対向する側壁間に面材を取り付けることができると共に、面材の上端部を保持する上枠をトップレール内に配設することができるので、更にブラケットやねじ部材の外部への露出を少なくして、美観の向上を図ることができる。
【図面の簡単な説明】
【００２８】
【図１】この発明に係る高欄の第１実施形態を示す概略斜視図である。
【図２】第１実施形態の高欄の概略正面図（ａ）、（ａ）のＩ部拡大断面図（ｂ）及び（ｂ）のII-II線に沿う断面図（ｃ）である。
【図３】第１実施形態の高欄の概略縦断面図である。
【図４】第１実施形態の高欄の要部を示す拡大縦断面図である。
【図５】この発明における支柱とトップレールの連結部を示す正面図（ａ）及び（ａ）の平面図（ｂ）である。
【図６】第１実施形態における上枠、トップレール及びトップレールシートを示す分解斜視図である。
【図７】第１実施形態における下枠及び支柱の取付状態を示す要部断面図である。
【図８】図７のIII−III線に沿う拡大断面図である。
【図９】図７のIV−IV線に沿う拡大断面図である。
【図１０】この発明に係る高欄の第２実施形態を示す概略正面図である。
【図１１】第２実施形態の高欄の縦断面図である。
【図１２】図１０のＶ−Ｖ線に沿う要部拡大断面図である。
【図１３】図１０のVI−VI線に沿う要部拡大断面図である。
【発明を実施するための形態】
【００２９】
以下に、この発明に係る高欄の実施形態を添付図面に基づいて詳細に説明する。
【００３０】
＜第１実施形態＞
第１実施形態の高欄１は、例えばペデストリアンデッキ（人工地盤）あるいは橋梁等の路面の端部の設置面２に適宜間隔をおいて立設される複数の支柱１０と、支柱１０の上端に架設されるトップレール３と、支柱１０の下部に固定されるブラケット４を介して架設される下枠２０と、下枠２０によって下端部が保持される透光性を有する面材例えばガラス板５と、ガラス板５の上端部を保持する上枠３０と、を具備している。また、支柱１０の路面側の中間部の上下２箇所には手摺用ブラケット６を介して互いに平行な２本の手摺７が架設されている。
【００３１】
上記下枠２０は、ガラス板５の下端部が挿入可能な開口２１と、この開口２１に連通する空間２２を有するアルミニウム合金製押出形材にて形成されている。また、図２（ｃ）及び図４に示すように、空間２２には、ガラス板５と開口２１との隙間を塞ぐ第１及び第２のシール部材４１，４２の配置部２３とガラス板５の下端を載置するブロック状のスペーサ５０の配置部２４が設けられている。この場合、スペーサ５０は、下枠２０の両端部に配置されて、ガラス板５の両端部の下端を載置している。
【００３２】
また、下枠２０のシール部材４１，４２の配置部２３とスペーサ５０の配置部２４は、シール部材４１，４２の下端の端部を載置する載置面２５ａと、スペーサ５０の上端両側面に当接する当接面２５ｂを有する一対の突出片２５にて形成されている。
【００３３】
このように、下枠２０の空間２２に、シール部材４１，４２の下端の端部を載置する載置面２５ａと、スペーサ５０の上端両側面に当接する当接面２５ｂを有する一対の突出片２５を設けることによって、スペーサ５０の位置決めを容易にすることができると共に、シール部材４１，４２の取付を容易にすることができる。
【００３４】
なお、下枠２０における開口２１と突出片２５との間の両側壁部には狭隘開口状の凹溝２６が設けられている。この場合、下枠２０における外側（路面と反対側）に位置する凹溝２６内には、例えばシリコンゴム等の合成ゴム製の第１のシール部材４１に突設された中空状の膨隆嵌合片４１ａが嵌合される。この第１のシール部材４１と第２のシール部材４２とによってガラス板５の下端部が挟持されると共に、ガラス板５と開口２１の隙間が塞がれ、ガラス板５と下枠２０との取付部の気水密性が保持されている。なお、図面では第２のシール部材４２が直接突出片２５の載置面２５ａ上に載置される場合について説明したが、実際には載置面２５ａ上に載置されるバックアップ材（図示せず）の上に第２のシール部材４２が載置される。
【００３５】
また、下枠２０の空間２２の端部側には、支柱１０にブラケット４を固定する固定部材である固定ボルト６０の固定部２７が設けられている。この場合、ブラケット４は、２個のねじ孔４ａを有する水平片４ｂと、２個の取付孔４ｃを有する垂直片４ｄとからなるアングル状に形成されており、水平片４ｂが下枠２０の端部空間２２内に挿入されて下枠２０の底壁２０ａ上に載置された状態で、下枠２０の底壁２０ａに穿設された貫通孔２０ｂを介して挿入される固定ボルト６０をねじ孔４ａに螺合することで、ブラケット４と下枠２０が固定される。なお、ここで固定部２７とは、下枠２０の空間２２内に挿入されるブラケット４の水平片４ｂと、固定ボルト６０との螺合状態をいう。
【００３６】
一方、上記ブラケット４の垂直片４ｄは、例えばクロロプレンゴム製の防水ゴム８を介在して支柱１０の側面に当接され、取付孔４ｃを貫通する固定部材である固定ねじ６１を支柱１０に設けられた固定部１１に螺合することで支柱１０に固定されている（図８参照）。
【００３７】
上記支柱１０は、図８に示すように、平行な側壁１２と両側壁１２と直交する外壁１３を有するアルミニウム合金製の中空状押出形材にて形成されている。この場合、支柱１０は、平行な側壁１２と両側壁１２と直交する外壁１３を有する外側矩形部１４と、両側壁１２より間隔の狭い平行な内側側壁１５と両内側側壁１５と直交する内壁１６を有する内側矩形部１７とからなる段付き中空矩形状に形成されている。また、支柱１０の外側矩形部１４の両側壁１２における外壁側の肉厚が空間側に厚く形成され、この肉厚部１８に、固定ねじ６１の固定部であるねじ孔１８ａが設けられている。このように支柱１０におけるブラケット４の固定部を肉厚に形成することにより、ブラケット４の固定部に強度をもたせることができる。
【００３８】
なお、支柱１０の内壁１６の中間部は空間側が厚い肉厚部１９が設けられており、この肉厚部１９に手摺ブラケット４の取付ボルト６ａが螺合可能なねじ孔１９ａが穿設されている。このように支柱１０の内壁１６に肉厚部１９を設けることにより、手摺７の取付を強固にすることができると共に、支柱自体の強度を高めることができる。
【００３９】
上記支柱１０は、設置面２に固定されたベースプレート９に立設された断面矩形状の支持ブロック９ａに嵌挿され、支柱１０の外壁１３を貫通する連結ボルト９ｂを支持ブロック９ａに螺合することで、ベースプレート９に連結されて立設される（図７及び図９参照）。
【００４０】
また、ガラス板５の上端部を保持する上枠３０は、図４に示すように、ガラス板５の上端部が挿入可能な開口３１を設けたフランジ部３２と開口３１に連通する空間を有する頭部３３とからなる断面略ハット状のアルミニウム合金製押出形材にて形成されている。この場合、フランジ部３２の開口３１側には、狭隘開口状の凹溝３４が設けられている。
【００４１】
上記のように形成される上枠３０の開口３１にガラス板５の上端部を挿入した状態で、開口３１とガラス板５の隙間を上記第１及び第２のシール部材４１，４２で塞いでガラス板５の上端部が上枠３０で保持される。
【００４２】
ガラス板５の上端部を保持する上枠３０は、トップレール３の下部に設けられた凹溝３ａ内に挿入され、上枠３０の一方のフランジ部３２から外方に突出する取付片３５とトップレール３の凹溝３ａの開口部に設けられた内向きフランジ３ｂとを固定ねじ３６によって連結することによって、上枠３０はトップレール３の凹溝３ａ内に挿入・固定される。
【００４３】
なお、トップレール３は、図４及び図６に示すように、凹溝３ａの底部すなわちトップレール３の頂壁が緩やかな凸面を有するアルミニウム合金製押出形材にて形成されている。このように形成されるトップレール３は、支柱１０の上端に取り付けられた平面視が略Ｔ字状のトップレールシート３ｃ及びこのトップレールシート３ｃに設けられた取付孔３ｌを貫通する連結ボルト３ｋの螺合によって固定されたトップスリーブ３ｄに端部を嵌挿した状態で架設される。なお、上枠３０の端部は、トップレールシート３ｃの側面に合わせて段状の切欠部３７が設けられている（図５（ｂ），図６参照）。
【００４４】
この場合、トップスリーブ３ｄは、アルミニウム合金製押出形材にて形成されており、図４及び図６に示すように、中央に位置する仕切り壁３ｅによって凹溝３ｆを有する第１の半部３ｇと、中空部３ｈを有する第２の半部３ｉを有し、かつ凹溝３ｆの底部すなわち頂壁と中空部３ｈの頂壁とが、トップレール３の凸面と相似形をなす連続する緩やかな凸面を形成している。
【００４５】
上記のように構成される高欄１は、支柱１０の下部の適宜位置に固定されるブラケット４を介して架設される下枠２０によってガラス板５の下端部を保持し、ガラス板５の上端部を保持する上枠３０をトップレール３の凹溝３ａ内に収めた状態で、隣接する支柱１０間にガラス板５が取り付けられる。
【００４６】
なお、高欄１の端部側には、トップレール３の端部と下枠２０の端部を覆うアルミニウム合金製のカバープレート１ａが被着されている。また、手摺７の端部には手摺エンドキャップ７ａが取り付けられる。
【００４７】
第１実施形態の高欄１によれば、隣接される支柱１０間に架設される下枠２０に設けた空間２２内に、ガラス板５との隙間を塞ぐ第１及び第２のシール部材４１，４２とガラス板５の下端を載置するスペーサ５０を配置すると共に、下枠２０を支柱１０に固定するブラケット４の固定部２７を配設することができるので、ガラス板５の取付位置に自由度を持たせることができると共に、ブラケット４と下枠２０との取付部の外部への露出を少なくして、美観の向上を図ることができる。更に、ガラス板５の上端部を保持する上枠３０をトップレール３の凹溝３ａ内に収めることができるので、上枠３０の外部への露出を少なくして、美観の向上を図ることができる。
【００４８】
また、支柱１０の断面形状を路面側の幅が狭い段付き中空矩形状に形成することにより、支柱１０をスリム化することができ、高欄１を構成する支柱１０の存在感を少なくして高欄による景観の低下を抑制することができる。
【００４９】
＜第２実施形態＞
第２実施形態の高欄１Ａは、図１０ないし図１３に示すように、支柱１０の外壁１３の上下部に固定されるブラケット４Ａを介して架設される下枠２０Ａと上枠３０Ａによりガラス板５の上下端部を保持することによって、支柱１０の外側すなわち路面と反対側にガラス板５を取り付ける構造である。
【００５０】
第２実施形態において、下枠２０Ａと上枠３０Ａは、第１実施形態の下枠２０と同様の断面形状を有するアルミニウム合金製の押出形材にて形成されているので、同一部分には同一符号を付して説明は省略する。なお、下枠２０Ａと上枠３０Ａは、路面側と外側の位置が第１実施形態の下枠２０と左右逆の状態で使用される点で相違している。
【００５１】
上記下枠２０Ａと上枠３０Ａを用いてガラス板５を保持するには、下枠２０Ａの両端側の空間２２内に配置されたスペーサ５０の上端にガラス板５の下端を載置し、下枠２０Ａの開口２１とガラス板５の下端部との両隙間の外側及び内側にそれぞれ第１のシール部材４１と第２のシール部材４２を充填して下枠２０Ａの開口２１とガラス板５の隙間を塞ぐ。また、ガラス板５の上端部は上枠３０Ａの開口２１に挿入され、上枠３０Ａの開口２１とガラス板５の上端部との両隙間の外側及び内側にそれぞれ第１のシール部材４１と第２のシール部材４２を充填して上枠３０Ａの開口２１とガラス板５の隙間を塞いで、下枠２０Ａと上枠３０Ａとでガラス板５を保持する。
【００５２】
次に、ブラケット４Ａと下枠２０Ａ及び上枠３０Ａの固定と、ブラケット４Ａと支柱１０の固定について説明する。
【００５３】
ブラケット４Ａは、アルミニウム合金製の押出形材にて、略矩形板状に形成されている。この場合、ブラケット４Ａは、中央部が一側面に隆起する肉厚部４ｅを有し、肉厚部４ｅにはブラケット４Ａを支柱１０に固定するための固定ねじ６１Ａの取付孔４ｆが設けられており、肉厚部４ｅの両側の翼片４ｇにはそれぞれ固定部材である固定ボルト６０Ａの取付孔４ｈが設けられている。この場合、取付孔４ｆは、肉厚部４ｅと反対側の平坦面側の開口部４ｉが外方に向かって拡径テーパ状に形成されている。
【００５４】
ブラケット４Ａと下枠２０Ａ及び上枠３０Ａとの固定は、図１２に示すように、下枠２０Ａ及び上枠３０Ａに固定された固定ボルト６０Ａを、ブラケット４Ａの翼片４ｇに設けられた取付孔４ｈを貫通し、その突出部に例えば袋ナットにて形成される固定ナット６２を螺合することによって行う。この場合、固定ボルト６０Ａの頭部６０ａは、下枠２０Ａ及び上枠３０Ａの一側壁から空間２２内に突出される突出片２５と、この突出片２５との間に間隔をおいて突出される係止突条２８との間に挟持された状態で予め固定ボルト６０Ａが下枠２０Ａ及び上枠３０Ａに固定される。したがって、固定ボルト６０Ａに固定ナット６２を螺合する際には固定ボルト６０Ａは回転することがない。
【００５５】
また、ブラケット４Ａと支柱１０との固定は、図１３に示すように、ブラケット４Ａの肉厚部４ｅの表面と支柱１０の外壁１３の外面との間に例えばクロロプレンゴム製の防水ゴム８Ａを介在させた状態で、ブラケット４Ａの取付孔４ｆを貫通する固定ねじ６１Ａを、支柱１０内に配設された固定部材６３に螺合することによって行う。この場合、固定ねじ６１Ａは、皿ねじにて形成されており、截頭円錐状の頭部６１ａが取付孔４ｆの拡開テーパ状の開口部４ｉ内に挿入され、頭部先端がブラケット４Ａから突出しないようになっている。
【００５６】
また、固定部材６３は、支柱１０の両側壁１２における外壁１３側の肉厚部１８にて形成される係止段部１８ｂと外壁１３との間に係止固定されるチャンネル状の固定受け部材６３ａと、この固定受け部材６３ａの中心部に設けられた透孔（図示せず）と連通するねじ孔（図示せず）を有し、固定受け部材６３ａに溶接等によって固着される固定ナット６３ｂとで形成されている。このように形成される固定部材６３を予め支柱１０の空間内にセットしておき、上述したように、防水ゴム８Ａを介在させた状態で、ブラケット４Ａの取付孔４ｆを貫通する固定ねじ６１Ａを、支柱１０内に配設された固定部材６３に螺合することによってブラケット４Ａと支柱１０とを固定することができる。この場合、固定部材６３の固定受け部材６３ａを支柱１０の係止段部１８ｂと外壁１３との間に係止固定することができるので、固定部材６３の位置決めを容易にすると共に、支柱１０への固定を強固にすることができる。
【００５７】
なお、第２実施形態の高欄１Ａにおけるトップレール３の長手方向の端部にはアルミニウム合金製のエンドキャップ１ｂが被着されている。また、下枠２０Ａと上枠３０Ａの長手方向の端部には、下枠２０Ａと上枠３０Ａを覆うアルミニウム合金製のカバープレート１ｃが被着されている。
【００５８】
第２実施形態の高欄によれば、支柱１０の外壁１３側に架設される下枠２０に設けた空間２２内に、ガラス板５との隙間を塞ぐ第１及び第２のシール部材４１，４２とガラス板５の下端を載置するスペーサ５０を配置すると共に、下枠２０Ａ及び上枠３０Ａを支柱１０に固定するブラケット４Ａの固定部すなわち固定ボルト６０Ａの頭部６０ａを配設することができるので、ガラス板５の取付位置に自由度を持たせることができると共に、ブラケット４Ａと下枠２０及び上枠３０Ａとの取付部の外部への露出を少なくして、美観の向上を図ることができる。また、第２実施形態の高欄によれば、下枠２０Ａと上枠３０Ａを同一の形材にて形成するので、構成部材の削減が図れる。
【００５９】
なお、第２実施形態の高欄１Ａにおいても、第１実施形態と同様の支柱１０を用いるので、支柱１０の断面形状を路面側の幅が狭い段付き中空矩形状に形成することにより、支柱１０をスリム化することができ、高欄１を構成する支柱１０の存在感を少なくして高欄による景観の低下を抑制することができる。
【００６０】
＜その他の実施形態＞
上記第１実施形態では、上枠３０をトップレール３に設けられた凹溝３ａ内に配設した場合について説明したが、上枠３０を下枠２０と同様の形材にて形成して、隣接する支柱１０の上部間にブラケット４を用いて架設してもよい。これにより、構成部材の削減が図れる。
【００６１】
また、上記第２実施形態では、上枠３０Ａをブラケット４Ａを介して支柱１０の上部外壁に固定する場合について説明したが、上枠３０Ａを第１実施形態の上枠３０と同様の形材にて形成し、該上枠３０をトップレール３に設けられた凹溝３ａ内に配設するようにしてもよい。
【符号の説明】
【００６２】
１，１Ａ  高欄
３  トップレール
３ａ  凹溝
４，４Ａ  ブラケット
４ａ  ねじ孔
４ｂ  水平片
４ｃ  取付孔
４ｄ  垂直片
４ｅ  肉厚部
４ｆ  取付孔
４ｇ  翼片
４ｈ  取付孔
４ｉ  拡径テーパ状開口部
５  ガラス板（透光性面材）
１０  支柱
１１  固定部
１２  側壁
１３  外壁
１８  肉厚部
１８ａ  ねじ孔
１８ｂ  係止段部
２０，２０Ａ  下枠
２１  開口
２２  空間
２３  シール部材配置部
２４  スペーサ配置部
２５  突出片
２５ａ  載置面
２５ｂ  当接面
２７  固定部
２８  係止突条
３０，３０Ａ  上枠
５０  スペーサ
６０，６０Ａ  固定ボルト（固定部材）
６１，６１Ａ  固定ねじ（固定部材）
６２  固定ナット（固定部材）
６３  固定部材
６３ａ  固定受部材
６３ｂ  固定ナット
【図１】
2011157742.tif 000003
【図２】
2011157742.tif 000004
【図３】
2011157742.tif 000005
【図４】
2011157742.tif 000006
【図５】
2011157742.tif 000007
【図６】
2011157742.tif 000008
【図７】
2011157742.tif 000009
【図８】
2011157742.tif 000010
【図９】
2011157742.tif 000011
【図１０】
2011157742.tif 000012
【図１１】
2011157742.tif 000013
【図１２】
2011157742.tif 000014
【図１３】
2011157742.tif 000015